(57)【要約】【課題】収納袋にゴワゴワな紙葉類が収納された場合でも、収納袋の開口をシールする際に収納袋内の紙葉類が加熱部材に接触することによるシール不良の発生を防止することができる紙葉類処理装置および紙葉類処理方法を提供する。【解決手段】紙葉類処理装置（例えば、紙幣処理機１０）の制御部８０は、支持部（例えば、各保持部材３６）により支持される収納袋（例えば、紙幣収納袋３４）に収納されている紙葉類（例えば、紙幣）を押圧部（例えば、押し込み板４６）が受け部（例えば、各ステージ４０）に向かって押圧するときの押圧部と受け部との間の距離が所定距離ｈよりも大きくなったときに、枚数情報受付手段９０により受け付けられた紙葉類の枚数が所定枚数ｍよりも少ないことを条件として収納袋への紙葉類の収納動作を停止させる。【選択図】図１１
2019061426.tif 000002
【特許請求の範囲】
【請求項１】
開口が設けられた収納袋の内部に紙葉類を収納させる紙葉類処理装置であって、
前記収納袋における前記開口の近傍の箇所を支持する支持部と、
前記支持部により支持される前記収納袋の一部を受ける受け部と、
前記収納袋に収納される紙葉類の積層方向に前記受け部を移動させる駆動部と、
前記収納袋に収納された紙葉類の枚数に係る情報を受け付ける枚数情報受付手段と、
前記支持部により支持される前記収納袋の内部に進入して当該収納袋に収納されている紙葉類を前記受け部に向かって押圧する押圧部と、
前記押圧部および前記駆動部を制御する制御部と、
を備え、
前記制御部は、前記支持部により支持される前記収納袋に収納されている紙葉類を前記押圧部が前記受け部に向かって押圧するときの前記押圧部と前記受け部との間の距離が所定距離よりも大きくなったときに、前記枚数情報受付手段により受け付けられた紙葉類の枚数が所定枚数よりも少ないことを条件として前記収納袋への紙葉類の収納動作を停止させる、紙葉類処理装置。
【請求項２】
前記収納袋に収納されるべき紙葉類を一時的に保留する一時保留部と、
前記一時保留部に紙葉類を送る紙葉類送り手段と、
を更に備え、
前記一時保留部から解放された紙葉類が前記支持部により支持される前記収納袋に収納されるようになっており、
前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ない場合には前記一時保留部に紙葉類を送らないよう前記紙葉類送り手段の制御を行う、請求項１記載の紙葉類処理装置。
【請求項３】
前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ないことを条件として前記受け部を前記支持部から離れる方向に移動させるよう前記駆動部を制御する、請求項１または２記載の紙葉類処理装置。
【請求項４】
前記受け部は所定の移動範囲において前記支持部から離れる方向および前記支持部に近づく方向に移動するようになっており、
前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ないことを条件として前記受け部を前記所定の移動範囲における前記支持部から最も離れた位置まで移動させるよう前記駆動部を制御し、
前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも多い場合には、前記受け部が第１所定位置に到達したときに当該受け部を前記所定の移動範囲における前記支持部から最も離れた位置まで移動させるよう前記駆動部を制御する、請求項３記載の紙葉類処理装置。
【請求項５】
前記制御部は、前記支持部により支持される前記収納袋に収納されている紙葉類を前記押圧部が前記受け部に向かって押圧するときに、前記押圧部が第２所定位置に到達するまで前記押圧部と前記受け部との間で紙葉類を挟んだ状態で前記受け部を前記支持部から離れる方向に移動させるよう前記駆動部を制御する、請求項１乃至４のいずれか一項に記載の紙葉類処理装置。
【請求項６】
前記押圧部は、前記支持部により支持される前記収納袋よりも上方の位置である待機位置と、前記支持部により支持される前記収納袋の内部に進入するような下端位置との間で移動するようになっており、
前記第２所定位置は前記下端位置である、請求項５記載の紙葉類処理装置。
【請求項７】
前記押圧部が前記下端位置に位置しているか否かを検知する検知部を更に備えた、請求項６記載の紙葉類処理装置。
【請求項８】
前記制御部は、前記収納袋の内部に前記押圧部を進入させて当該収納袋の内部に収納されている紙葉類に前記押圧部を接触させた場合に、前記押圧部が前記下端位置に位置していることが前記検知部により検知されないときに前記受け部を前記支持部から離れる方向に移動させるよう前記駆動部の制御を行う、請求項７記載の紙葉類処理装置。
【請求項９】
前記収納袋に収納されるべき紙葉類の識別を行う識別部を更に備え、
前記識別部による識別結果に基づいて前記収納袋に送られた紙葉類の枚数が算出されるようになっており、この算出された紙葉類の枚数に係る情報が前記枚数情報受付手段により受け付けられるようになっている、請求項１乃至８のいずれか一項に記載の紙葉類処理装置。
【請求項１０】
前記所定距離および前記所定枚数のうち少なくともいずれかの設定を行うパラメータ設定手段を更に備えた、請求項１乃至９のいずれか一項に記載の紙葉類処理装置。
【請求項１１】
前記支持部により支持される前記収納袋への紙葉類の収納動作における処理モードを第１処理モードおよび第２処理モードのうちいずれの処理モードで行うかを設定する処理モード設定手段を更に備え、
前記収納袋への紙葉類の収納動作を前記第１処理モードで行うことが前記処理モード設定手段により設定された場合には、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ないことを条件として前記収納袋への紙葉類の収納動作を停止させ、
前記収納袋への紙葉類の収納動作を前記第２処理モードで行うことが前記処理モード設定手段により設定された場合には、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ない場合でも前記収納袋への紙葉類の収納動作を停止させない、請求項１乃至１０のいずれか一項に記載の紙葉類処理装置。
【請求項１２】
紙葉類を投入するための開口が設けられた収納袋の内部に紙葉類を収納させる紙葉類収納方法であって、
前記収納袋における前記開口の近傍の箇所を支持部により支持させる工程と、
前記支持部により支持される前記収納袋の一部を受け部により受けさせる工程と、
前記支持部により支持される前記収納袋の内部に紙葉類を収納する工程と、
前記収納袋に収納された紙葉類の枚数に係る情報を受け付ける工程と、
前記支持部により支持される前記収納袋の内部に押圧部を進入させて当該押圧部により前記収納袋の内部に収納されている紙葉類を前記受け部に向かって押圧する工程と、
を備え、
前記支持部により支持される前記収納袋に収納されている紙葉類を前記押圧部が前記受け部に向かって押圧するときの前記押圧部と前記受け部との間の距離が所定距離よりも大きくなったときに、受け付けられた紙葉類の枚数が所定枚数よりも少ないことを条件として前記収納袋への紙葉類の収納動作を停止させる、紙葉類処理方法。
【発明の詳細な説明】
【技術分野】
【０００１】
本発明は、開口が設けられた収納袋の内部に紙葉類を収納させる紙葉類処理装置および紙葉類処理方法に関する。
【背景技術】
【０００２】
紙幣等の紙葉類の入金処理を行う紙葉類処理装置において、機体内に取り込まれた紙葉類をパウチ袋等の収納袋に収納させるようなタイプのものが従来から用いられている。このような紙葉類処理装置は、例えばスーパーマーケット等の店舗におけるバックオフィス領域に設置される現金処理機の一部として用いられるようになっており、当該現金処理機は、フロントオフィス領域に設けられた現金精算機へ装填するための釣銭準備金としての貨幣を出金したり、現金精算機から回収した売上金としての貨幣を入金したりするようになっている。このような紙葉類処理装置としては例えば特許文献１等に開示されるものが知られている。
【０００３】
特許文献１に開示される紙幣処理装置では、一方に開口が設けられた収納袋の内部に紙幣を積層状態で収納させるための紙幣収納機構が設けられている。より詳細には、紙幣収納機構には、一対の保持部材が互いに対向するよう離間して設けられており、収納袋の開口近傍における互いに対向する２つの箇所が各保持部材によりそれぞれ保持されるようになっている。また、各保持部材にはそれぞれ加熱部材が設けられている。そして、紙幣収納機構において各保持部材により保持された収納袋に所定量の紙幣が積層状態で収納された後、当該収納袋が紙幣収納機構から取り出される前に、一方の保持部材が他方の保持部材に向かって移動してこれらの保持部材が互いに接した状態で、加熱部材によって収納袋の開口近傍の箇所に熱が与えられることにより当該収納袋の開口はヒートシール（熱封止）されるようになっている。また、紙幣収納機構には、一対の保持部材により保持される収納袋の底部が載置されるステージが設けられている。そして、一対の保持部材により保持される収納袋に紙幣が収納される度にステージが少しずつ下降することにより、収納袋の内部における紙幣を収納するスペースが確保されるようになる。
【０００４】
また、特許文献１に開示される紙幣処理装置の紙幣収納機構には、一対の保持部材により保持される収納袋の内部に進入してこの収納袋に収納されている紙幣をステージに向かって押し込む押し込み板が設けられている。このような押し込み板によって収納袋に収納されている紙幣をステージに向かって押し込むことにより、収納袋に収納されている複数の紙幣を積層方向に圧縮することができ、よってより多くの紙幣を収納袋に収納させることができるようになる。
【先行技術文献】
【特許文献】
【０００５】
【特許文献１】国際公開第２０１６／１３６５１７号
【発明の概要】
【発明が解決しようとする課題】
【０００６】
特許文献１等に開示されるような従来の紙幣処理装置では、収納袋に収納される紙幣が官封券ではなくゴワゴワな紙幣であった場合に、押し込み板によって紙幣を押し込んだ後、この押し込み板が収納袋の外部に退避すると、収納袋に収納されている複数の紙幣が積層方向に膨張してしまうおそれがある。ここで、上述した従来の紙幣処理装置では、ステージが所定の位置に到達すると収納袋に収納されている紙幣がニアフル状態またはフル状態になったとみなされ、収納袋の開口が加熱部材によってヒートシールされるようになっている。しかしながら、収納袋に収納される紙幣が官封券ではなくゴワゴワな紙幣であった場合に、押し込み板が収納袋の外部に退避することによって収納袋に収納されている複数の紙幣が積層方向に膨張してしまうと、収納袋の開口を加熱部材によってヒートシールする際に、収納袋内の紙幣が加熱部材に接触することによりシール不良が発生するおそれがある。このようなシール不良が発生すると、収納袋の開口においてシールされない箇所が部分的に生じてしまうため、このシールされない箇所から収納袋内の紙幣が抜き取られてしまうという問題がある。
【０００７】
本発明は、このような点を考慮してなされたものであり、収納袋にゴワゴワな紙葉類が収納された場合でも、収納袋の開口をシールする際に収納袋内の紙葉類がシール部材に接触することによるシール不良の発生を防止することができる紙葉類処理装置および紙葉類処理方法を提供することを目的とする。
【課題を解決するための手段】
【０００８】
本発明の紙葉類処理装置は、開口が設けられた収納袋の内部に紙葉類を収納させる紙葉類処理装置であって、前記収納袋における前記開口の近傍の箇所を支持する支持部と、前記支持部により支持される前記収納袋の一部を受ける受け部と、前記収納袋に収納される紙葉類の積層方向に前記受け部を移動させる駆動部と、前記収納袋に収納された紙葉類の枚数に係る情報を受け付ける枚数情報受付手段と、前記支持部により支持される前記収納袋の内部に進入して当該収納袋に収納されている紙葉類を前記受け部に向かって押圧する押圧部と、前記押圧部および前記駆動部を制御する制御部と、を備え、前記制御部は、前記支持部により支持される前記収納袋に収納されている紙葉類を前記押圧部が前記受け部に向かって押圧するときの前記押圧部と前記受け部との間の距離が所定距離よりも大きくなったときに、前記枚数情報受付手段により受け付けられた紙葉類の枚数が所定枚数よりも少ないことを条件として前記収納袋への紙葉類の収納動作を停止させることを特徴とする。
【０００９】
このような紙葉類処理装置によれば、収納袋にゴワゴワな紙葉類が収納された場合でも、収納袋の開口の近傍における、シール部材によってシールする領域を十分に確保することができるようになり、よって、収納袋の開口をシールする際に収納袋内の紙葉類がシール部材に接触することによるシール不良の発生を防止することができる。
【００１０】
本発明の紙葉類処理装置は、前記収納袋に収納されるべき紙葉類を一時的に保留する一時保留部と、前記一時保留部に紙葉類を送る紙葉類送り手段と、を更に備え、前記一時保留部から解放された紙葉類が前記支持部により支持される前記収納袋に収納されるようになっており、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ない場合には前記一時保留部に紙葉類を送らないよう前記紙葉類送り手段の制御を行うようになっていてもよい。
【００１１】
本発明の紙葉類処理装置においては、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ないことを条件として前記受け部を前記支持部から離れる方向に移動させるよう前記駆動部を制御するようになっていてもよい。
【００１２】
この場合、前記受け部は所定の移動範囲において前記支持部から離れる方向および前記支持部に近づく方向に移動するようになっており、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ないことを条件として前記受け部を前記所定の移動範囲における前記支持部から最も離れた位置まで移動させるよう前記駆動部を制御し、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも多い場合には、前記受け部が第１所定位置に到達したときに当該受け部を前記所定の移動範囲における前記支持部から最も離れた位置まで移動させるよう前記駆動部を制御するようになっていてもよい。
【００１３】
本発明の紙葉類処理装置においては、前記制御部は、前記支持部により支持される前記収納袋に収納されている紙葉類を前記押圧部が前記受け部に向かって押圧するときに、前記押圧部が第２所定位置に到達するまで前記押圧部と前記受け部との間で紙葉類を挟んだ状態で前記受け部を前記支持部から離れる方向に移動させるよう前記駆動部を制御するようになっていてもよい。
【００１４】
この場合、前記押圧部は、前記支持部により支持される前記収納袋よりも上方の位置である待機位置と、前記支持部により支持される前記収納袋の内部に進入するような下端位置との間で移動するようになっており、前記第２所定位置は前記下端位置であってもよい。
【００１５】
また、本発明の紙葉類処理装置は、前記押圧部が前記下端位置に位置しているか否かを検知する検知部を更に備えていてもよい。
【００１６】
この場合、前記制御部は、前記収納袋の内部に前記押圧部を進入させて当該収納袋の内部に収納されている紙葉類に前記押圧部を接触させた場合に、前記押圧部が前記下端位置に位置していることが前記検知部により検知されないときに前記受け部を前記支持部から離れる方向に移動させるよう前記駆動部の制御を行うようになっていてもよい。
【００１７】
本発明の紙葉類処理装置は、前記収納袋に収納されるべき紙葉類の識別を行う識別部を更に備え、前記識別部による識別結果に基づいて前記収納袋に送られた紙葉類の枚数が算出されるようになっており、この算出された紙葉類の枚数に係る情報が前記枚数情報受付手段により受け付けられるようになっていてもよい。
【００１８】
本発明の紙葉類処理装置は、前記所定距離および前記所定枚数のうち少なくともいずれかの設定を行うパラメータ設定手段を更に備えていてもよい。
【００１９】
本発明の紙葉類処理装置は、前記支持部により支持される前記収納袋への紙葉類の収納動作における処理モードを第１処理モードおよび第２処理モードのうちいずれの処理モードで行うかを設定する処理モード設定手段を更に備え、前記収納袋への紙葉類の収納動作を前記第１処理モードで行うことが前記処理モード設定手段により設定された場合には、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ないことを条件として前記収納袋への紙葉類の収納動作を停止させ、前記収納袋への紙葉類の収納動作を前記第２処理モードで行うことが前記処理モード設定手段により設定された場合には、前記制御部は、前記支持部により支持される前記収納袋に収納されている紙葉類を前記押圧部が前記受け部に向かって押圧するときの前記押圧部と前記受け部との間の距離が前記所定距離よりも大きくなったときに、前記枚数情報受付手段により受け付けられた紙葉類の枚数が前記所定枚数よりも少ない場合でも前記収納袋への紙葉類の収納動作を停止させないようになっていてもよい。
【００２０】
本発明の紙葉類処理方法は、紙葉類を投入するための開口が設けられた収納袋の内部に紙葉類を収納させる紙葉類収納方法であって、前記収納袋における前記開口の近傍の箇所を支持部により支持させる工程と、前記支持部により支持される前記収納袋の一部を受け部により受けさせる工程と、前記支持部により支持される前記収納袋の内部に紙葉類を収納する工程と、前記収納袋に収納された紙葉類の枚数に係る情報を受け付ける工程と、前記支持部により支持される前記収納袋の内部に押圧部を進入させて当該押圧部により前記収納袋の内部に収納されている紙葉類を前記受け部に向かって押圧する工程と、を備え、前記支持部により支持される前記収納袋に収納されている紙葉類を前記押圧部が前記受け部に向かって押圧するときの前記押圧部と前記受け部との間の距離が所定距離よりも大きくなったときに、受け付けられた紙葉類の枚数が所定枚数よりも少ないことを条件として前記収納袋への紙葉類の収納動作を停止させることを特徴とする。
【００２１】
このような紙葉類処理方法によれば、収納袋にゴワゴワな紙葉類が収納された場合でも、収納袋の開口の近傍における、シール部材によってシールする領域を十分に確保することができるようになり、よって、収納袋の開口をシールする際に収納袋内の紙葉類がシール部材に接触することによるシール不良の発生を防止することができる。
【発明の効果】
【００２２】
本発明の紙葉類処理装置および紙葉類処理方法によれば、収納袋にゴワゴワな紙葉類が収納された場合でも、収納袋の開口をシールする際に収納袋内の紙葉類が加熱部材に接触することによるシール不良の発生を防止することができる。
【図面の簡単な説明】
【００２３】
【図１】本発明の実施の形態による紙幣処理機の内部構成を概略的に示す概略構成図である。
【図２】図１に示す紙幣処理機における紙幣収納機構の構成の詳細を示す側面図である。
【図３】図２に示す紙幣収納機構における一対の保持部材等の構成を示す斜視図である。
【図４】図２等に示す紙幣収納機構において各保持部材により保持されるべき収納袋の構成を示す斜視図である。
【図５】図２等に示す紙幣収納機構の各保持部材により収納袋を保持させたときの状態を示す斜視図である。
【図６】図２等に示す紙幣収納機構における押し込み板および一時保留部等の構成を示す側面図であって、一時保留部に紙幣が保留されていないときの状態を示す図である。
【図７】図２等に示す紙幣収納機構における押し込み板および一時保留部等の構成を示す側面図であって、一時保留部に紙幣がフル状態またはニアフル状態で保留されているときの状態を示す図である。
【図８】図２等に示す紙幣収納機構における押し込み板を移動させるパンタグラフ等の構成を示す斜視図である。
【図９】図２等に示す紙幣収納機構におけるパンタグラフを動作させるモータや歯車等の構成を示す斜視図である。
【図１０】図１等に示す紙幣処理機における制御系の構成を示す機能ブロック図である。
【図１１】（ａ）〜（ｅ）は、図２等に示す紙幣収納機構における収納袋に紙幣を収納させる動作を概略的に示す側面図である。
【発明を実施するための形態】
【００２４】
以下、本発明の実施の形態において、本発明に係る紙葉類処理装置として紙幣の処理を行う紙幣処理機が用いられる場合について説明する。図１乃至図１１は、本実施の形態に係る紙幣処理機を示す図である。なお、図７および図１１において積層状態の複数の紙幣を参照符合Ｐ、Ｐａ、Ｐｂで示している。
【００２５】
本実施の形態による紙幣処理機１０は、概してスーパーマーケット等の店舗のフロントオフィス領域やバックオフィス領域、あるいは銀行ロビーや銀行の内部に配置されるものであり、当該紙幣処理機１０は、紙幣の入金処理等の様々な処理を行うことができるようになっている。図１に示すように、本実施の形態による紙幣処理機１０は略直方体形状の筐体１２を有している。なお、図１における筐体１２の左側の面が当該筐体１２の前面（すなわち、操作者が対向する面）となっている。また、筐体１２の内部には、上部ユニット１４および下部ユニット１６がそれぞれ当該筐体１２の前面から前方（具体的には、図１における左方向）に引き出し可能となるよう収容されている。上部ユニット１４において、筐体１２の前面上部（図１における左側の面の上部）には、筐体１２の外部から内部に紙幣を投入するための受入ホッパ等の投入部２０が設けられている。また、上部ユニット１４において、筐体１２の前面（図１における左側の面）における投入部２０の下方には、筐体１２の内部から外部に紙幣を投出するための投出部２２が設けられている。
【００２６】
投入部２０には、操作者により当該投入部２０に積層状態で載置された紙幣を１枚ずつ筐体１２の内部に繰り出すための紙幣繰出機構２０ａが設けられている。また、上部ユニット１４において、紙幣処理機１０の筐体１２の内部には、当該筐体１２内で紙幣を１枚ずつ搬送する搬送部２４が設けられており、紙幣繰出機構２０ａにより投入部２０から繰り出された紙幣は当該搬送部２４により１枚ずつ搬送されるようになっている。また、搬送部２４には識別部２６が設けられており、紙幣繰出機構２０ａにより搬送部２４に繰り出された紙幣は識別部２６によりその金種、真偽、表裏、正損、新旧、搬送状態等が識別されるようになっている。
【００２７】
図１に示すように、搬送部２４には投出部２２が接続されており、搬送部２４から投出部２２に送られた紙幣は当該投出部２２に集積されるようになっている。また、投出部２２は筐体１２の外部からアクセス可能となっており、操作者は投出部２２に集積された紙幣を筐体１２の前面から取り出すことができるようになっている。また、搬送部２４における投出部２２との接続箇所には羽根車２２ａが設けられており、当該羽根車２２ａは図１における反時計回りの方向に回転するようになっている。そして、搬送部２４から投出部２２に紙幣が送られる際に、羽根車２２ａにおける２つの羽根の間に紙幣が挟まれた状態で当該羽根車２２ａが図１における反時計回りの方向に回転することにより、羽根車２２ａの２つの羽根の間に挟まれた紙幣は投出部２２に整列された状態で集積されるようになる。
【００２８】
また、上部ユニット１４において、搬送部２４にはテープ式の収納繰出部３０が設けられており、搬送部２４から収納繰出部３０に送られた紙幣が当該収納繰出部３０に収納されるとともにこの収納繰出部３０に収納されている紙幣を１枚ずつ搬送部２４に繰り出すことができるようになっている。より詳細には、収納繰出部３０は正逆両方向に回転可能なドラム３０ａが設けられており、当該ドラム３０ａの外周面には一対の帯状のテープ３１の一端が接続されている。そして、搬送部２４から収納繰出部３０に紙幣が送られると、これらの帯状のテープ３１により当該紙幣は１枚ずつテープ３１ごとドラム３０ａに巻き取られるようになっている。一方、ドラム３０ａを逆方向に回転させることにより各テープ３１をドラム３０ａから巻き戻すとドラム３０ａに巻き取られている紙幣も各テープ３１から放出されて搬送部２４に繰り出されるようになる。
【００２９】
図１に示すように、本実施の形態では、下部ユニット１６には、一方に、紙幣を投入するための開口が設けられた紙幣収納袋３４の内部に紙幣を収納させるための紙幣収納機構３２が複数（例えば、２つ）設けられている。各紙幣収納機構３２には、それぞれ、一対の保持部材３６が互いに対向するよう離間して設けられており、紙幣収納袋３４の開口部の近傍における互いに対向する２つの箇所が各保持部材３６によりそれぞれ保持されるようになっている。ここで、ある保持部材３６（具体的には、例えば図１や図２における右側の保持部材３６）はその位置が固定されているのに対し、別の保持部材３６（具体的には、例えば図１や図２における左側の保持部材３６）は位置固定の保持部材３６に向かって移動することができるようになっている。また、図２に示すように、各保持部材３６にはそれぞれ加熱部材３８が設けられている。そして、紙幣収納機構３２において各保持部材３６により保持された紙幣収納袋３４に所定量の紙幣が収納された後、当該紙幣収納袋３４が紙幣収納機構３２から取り出される前に、一方の保持部材３６が他方の保持部材３６に向かって移動してこれらの保持部材３６が互いに接合した状態で、加熱部材３８によって紙幣収納袋３４の開口部の近傍の箇所に熱が与えられることにより当該紙幣収納袋３４の開口部はヒートシール（熱封止）されるようになっている。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動してこれらの保持部材３６が中央位置で互いに接合するようになっていてもよい。
【００３０】
また、上部ユニット１４において、搬送部２４からは各紙幣収納機構３２に対応して複数（図１に示す例では２つ）の分岐搬送部２５が分岐しており、搬送部２４から分岐搬送部２５に分岐させられた紙幣が当該分岐搬送部２５から各紙幣収納機構３２に装着された紙幣収納袋３４に送られて当該紙幣収納袋３４に収納されるようになっている。
【００３１】
次に、本実施の形態における紙幣収納機構３２の構成の詳細について図２乃至図５を用いて説明する。図２は、紙幣収納機構３２の構成の詳細を示す側面図であり、図３は、図２に示す紙幣収納機構３２における一対の保持部材３６等の構成を示す斜視図であり、図４は、図２等に示す紙幣収納機構３２において各保持部材３６により保持される紙幣収納袋３４の構成を示す斜視図である。また、図５は、図２等に示す紙幣収納機構３２の各保持部材３６により紙幣収納袋３４を保持させたときの状態を示す斜視図である。
【００３２】
図２に示すように、紙幣収納機構３２には、上部ユニット１４の分岐搬送部２５から下部ユニット１６に送られた紙幣を一対の保持部材３６により保持される紙幣収納袋３４に送るための紙幣送り出し部４８と、紙幣送り出し部４８から送られた紙幣が一時的に保留される一時保留部４４と、一対の保持部材３６により保持される紙幣収納袋３４の底部が載置されるステージ４０とがそれぞれ設けられている。
【００３３】
図２に示すように、紙幣送り出し部４８は、ローラやベルトを組み合わせたものからなり、上部ユニット１４の分岐搬送部２５から下部ユニット１６に送られた紙幣を１枚ずつ一時保留部４４上に送って当該一時保留部４４上に集積させるようになっている。また、一時保留部４４は左右一対のものからなり、各一時保留部４４の基端部分に設けられた軸４４ａを中心として各一時保留部４４は下方（すなわち、図２における矢印方向）にそれぞれ回転することができるようになっている。
【００３４】
また、図２に示すように、紙幣収納機構３２において、各保持部材３６により保持される紙幣収納袋３４の少なくとも一部が載置されるステージ４０が設けられている。ステージ４０は左右一対のものからなり、各ステージ４０は図２における上下方向および左右方向にそれぞれ移動可能となっている。より詳細には、図５に示すように、一対のステージ４０は、各ステージ４０の端部に設けられたヒンジ部４０ａにより互いに連結されており、各ステージ４０は水平面に沿ってヒンジ部４０ａを中心として図５における矢印方向に揺動することができるようになっている。また、各ステージ４０が開いた場合には、これらのステージ４０の間に隙間が形成されるようになる。そして、保持部材３６により保持される紙幣収納袋３４の一部を、この隙間を通って各ステージ４０から下方に延びるようにすることができるようになっている。なお、各ステージ４０は電動アクチュエータ等のステージ駆動部４１（図１０参照）により駆動されるようになっている。具体的には、ステージ駆動部４１により各ステージ４０が図２における上下方向に移動させられるとともに、水平面に沿ってヒンジ部４０ａを中心として開閉させられるようになっている。なお、上述したように一対のステージ４０はヒンジ部４０ａにより互いに連結されており当該ヒンジ部４０ａを中心として開閉するようになっているが、図２および図１１では、便宜上、ヒンジ部４０ａを中心とした各ステージ４０の開閉動作を、各ステージ４０の左右方向の移動動作で示すようになっている。
【００３５】
また、各ステージ４０にはそれぞれ加熱部材４２が設けられている。そして、当該紙幣収納袋３４が紙幣収納機構３２から取り出される前に、一方のステージ４０（例えば、図２における右側のステージ４０）が他方のステージ４０（例えば、図２における左側のステージ４０）に向かって移動してこれらのステージ４０が互いに接した状態で、紙幣収納袋３４に紙幣を収納したときに底部となる箇所に各加熱部材４２から熱が与えられることにより当該箇所がヒートシールされるようになっている。なお、紙幣収納機構３２において、一対のステージ４０のうちある１つのステージ４０が他のステージ４０に向かって移動する代わりに、両方のステージ４０がそれぞれ他のステージ４０に向かって移動することによりこれらのステージ４０が互いに接合するようになっていてもよい。
【００３６】
また、図３に示すように、左右一対の保持部材３６のうち左側の保持部材３６にはパンタグラフ３７が設けられており、当該パンタグラフ３７により左側の保持部材３６は右側の保持部材３６に向かって移動させられてこれらの保持部材３６が互いに接するようになっている。より詳細には、左側の保持部材３６の端部にはガイドピン３６ｐが設けられているとともに、各保持部材３６を支持する枠体３６ｋには当該ガイドピン３６ｐが案内される直線状の長穴３６ｑが設けられている。ここで、この長穴３６ｑは枠体３６ｋにおいて水平方向に延びるよう設けられている。そして、パンタグラフ３７が伸びると、左側の保持部材３６に設けられたガイドピン３６ｐが長穴３６ｑに沿って案内されることにより、この左側の保持部材３６は右側の保持部材３６に向かって移動させられるようになる。このことにより、左側の保持部材３６の面３６ｂが、右側の保持部材３６の面３６ｂに接するようになる。なお、紙幣収納機構３２において、一対の保持部材３６のうちある１つの保持部材３６が他の保持部材３６に向かって移動する代わりに、両方の保持部材３６がそれぞれ他の保持部材３６に向かって中央位置まで移動することによりこれらの保持部材３６が中央位置で互いに接するようになっていてもよい。
【００３７】
また、図３に示すように、左右一対の保持部材３６の上面にはそれぞれ３つのピン３６ａが設けられている。ここで、図４に示すように、各保持部材３６により保持されるべき紙幣収納袋３４の開口近傍の箇所（すなわち、紙幣収納袋３４の上端部）には、それぞれ３つの開口３４ｂが設けられた一対の突出部３４ａが設けられており、紙幣収納袋３４が各保持部材３６により保持される際に、紙幣収納袋３４の各突出部３４ａに設けられた各開口３４ｂに各保持部材３６の各ピン３６ａが通されることにより、これらの突出部３４ａが各保持部材３６により保持されるようになっている。
【００３８】
また、図４等に示すように、紙幣収納袋３４の外面における開口近傍の箇所には帯状の補強部材３４ｃが設けられている。補強部材３４ｃは、紙幣収納袋３４よりコシが強い、ポリエチレンテレフタラートによって形成されている。このような補強部材３４ｃによって、紙幣収納袋３４の開口に皺が生じないように力が働くようになっている。ここで、「コシが強い」とは、曲げに対する剛性が大きいことを意味している。なお、補強部材３４ｃとして、紙幣収納袋３４よりコシが弱いものが用いられてもよい。この場合でも、紙幣収納袋３４は、他部材である補強部材３４ｃが設けられる（貼り付けられる）ことにより、全体的に開口付近のコシが強くなり、開口に皺が生じることが抑制されるようになる。
【００３９】
また、図２に示すように、一対の一時保留部４４の上方には押し込み板４６が設けられている。当該押し込み板４６にはパンタグラフ５０が設けられており、このパンタグラフ５０が図２における上下方向に伸縮することによって押し込み板４６は図２において矢印で示す範囲を上下方向に移動することができるようになっている。このような押し込み板４６が下方に移動することによって、各一時保留部４４に一時的に保留されている紙幣が紙幣収納袋３４に収納される際に、各一時保留部４４上にある紙幣を集積状態のまま紙幣収納袋３４に向かって押し込むことができるようになる。
【００４０】
このような押し込み板４６の構成の詳細について図６および図７を用いて説明する。図６および図７は、図２に示す紙幣収納機構３２における押し込み板４６および一対の一時保留部４４等の構成を示す側面図である。なお、図６では、一時保留部４４に紙幣が保留されていないときの状態が示されており、図７では、一時保留部４４に紙幣がフル状態またはニアフル状態で保留されているときの状態が示されている。
【００４１】
図６および図７に示すように、押し込み板４６は、押し込み部分４６ａおよびベース部分４６ｂを有しており、押し込み部分４６ａは軸４６ｃを中心としてベース部分４６ｂに対して揺動自在となっている。より詳細には、押し込み部分４６ａには円弧状のガイド穴４６ｆが設けられており、ベース部分４６ｂにはこの押し込み部分４６ａのガイド穴４６ｆに挿入されるピン部材４６ｇが設けられている。そして、押し込み部分４６ａは、ピン部材４６ｇが相対的にガイド穴４６ｆを移動する範囲内で、軸４６ｃを中心としてベース部分４６ｂに対して揺動するようになっている。ここで、押し込み部分４６ａに何ら力が加えられていない場合には、図６に示すように、押し込み部分４６ａは自重によりベース部分４６ｂに対して下方に突出する位置に維持されるようになる。一方、各一時保留部４４に保留される紙幣により押し込み部分４６ａが上方に押されると、図６に示すような状態から押し込み部分４６ａは軸４６ｃを中心として図６における反時計回りの方向に回転し、図７に示すように押し込み部分４６ａはベース部分４６ｂに対して上方に退避するようになる。
【００４２】
また、図６および図７に示すように、押し込み部分４６ａの上部には被検知部材４６ｄが取り付けられているとともに、この被検知部材４６ｄを検知する検知センサ４７が設けられている。検知センサ４７は位置固定で設けられており、図６や図７に示すような位置に押し込み板４６が位置している場合に、各一時保留部４４に保留される紙幣により押し込み部分４６ａが上方に押されてこの押し込み部分４６ａが軸４６ｃを中心として図６や図７における反時計回りの方向に回転したときに、押し込み部分４６ａに取り付けられている被検知部材４６ｄが検知センサ４７により検知されるようになっている。このように、検知センサ４７は、ベース部分４６ｂに対して押し込み部分４６ａが軸４６ｃを中心として上方に回転したときにこのことを検知するようになっている。なお、検知センサ４７は位置固定で設けられることに限定されることはない。他の例として、検知センサ４７は押し込み板４６と一体的に図２における上下方向に移動するようになっていてもよい。この場合には、図２に示すように押し込み板４６が紙幣収納袋３４の内部に進入し、各一時保留部４４上にある紙幣を紙幣収納袋３４に向かって押し込む際にも、紙幣収納袋３４に収納されている紙幣により押し込み部分４６ａが上方に押されてこの押し込み部分４６ａが軸４６ｃを中心として上方に回転したときにこのことを検知することができるようになる。
【００４３】
本実施の形態では、このような押し込み板４６は、一対の保持部材３６により保持される紙幣収納袋３４の内部に進入して当該紙幣収納袋３４に収納されている紙幣を各ステージ４０に向かって押圧する押圧部として機能するようになる。また、このような押し込み板４６は、紙幣送り出し部４８から送られた紙幣を各一時保留部４４に保留させる際に紙幣を案内するガイドとしても機能するようになっている。また、各一時保留部４４に保留される紙幣がフル状態またはニアフル状態となったときに、押し込み板４６の押し込み部分４６ａが上方に押されて被検知部材４６ｄが検知センサ４７により検知されるようになっている。すなわち、検知センサ４７は、各一時保留部４４に保留される紙幣がフル状態またはニアフル状態となったときにこのことを検知するようになっている。
【００４４】
次に、本実施の形態の紙幣収納機構３２における、押し込み板４６を下方に移動させる機構および一対の一時保留部４４を下方に回転させる機構について図８および図９を用いて説明する。本実施の形態の紙幣収納機構３２では、一つのモータ５４（図９参照）により、押し込み板４６を下方に移動させる動作および一対の一時保留部４４を下方に回転させる動作が同時に行われるようになっている。
【００４５】
図８に示すように、押し込み板４６のベース部分４６ｂの上面には取付部材４６ｅが取り付けられており、この取付部材４６ｅにはパンタグラフ５０の２つの下端部がそれぞれ取り付けられている。ここで、パンタグラフ５０の２つの下端部のうち一方の下端部は取付部材４６ｅに対して回転自在に取り付けられるのに対し、他方の下端部にはピン部材が設けられており、このピン部材は取付部材４６ｅに設けられた長穴の内部で水平方向に移動するようになっている。また、パンタグラフ５０の２つの上端部のうち一方の上端部には軸５１が取り付けられており、この上端部は軸５１を中心として回転するようになっている。また、パンタグラフ５０の２つの上端部のうち他方の上端部は、図示しないピニオンによって水平方向に移動させられるラック５２に回転自在に取り付けられている。ここで、ピニオンによってラック５２が軸５１に近づく方向に移動させられると、パンタグラフ５０は下方に伸びることによりこのパンタグラフ５０の下端部に取り付けられている押し込み板４６も下方に移動するようになる。一方、ピニオンによってラック５２が軸５１から遠ざかる方向に移動させられると、パンタグラフ５０は上方に縮むことによりこのパンタグラフ５０の下端部に取り付けられている押し込み板４６も上方に移動するようになる。
【００４６】
次に、押し込み板４６を下方に移動させる動作および一対の一時保留部４４を下方に回転させる動作を同時に行うモータ５４等の構成について図９を用いて説明する。図９に示すように、モータ５４には歯車５５が取り付けられており、当該モータ５４により歯車５５が正逆両方向に回転させられるようになっている。また、モータ５４に設けられた歯車５５には別の歯車５６が噛み合っており、この歯車５６には、更に別の歯車５７が噛み合っている。また、この歯車５７の回転軸には、循環ベルト６０が掛け渡されているプーリ５８が設けられており、歯車５７およびプーリ５８は同期して回転するようになっている。また、歯車５７の回転軸にはトルクリミッタ５９が設けられており、この回転軸とプーリ５８との間に所定のトルクを超えた過度のトルクがかかると回転軸とプーリ５８との接続が切断され、プーリ５８に対して回転軸が空回りするようになる。また、循環ベルト６０は別のプーリ６２にも掛け渡されている。さらに、このプーリ６２の回転軸には別の歯車（図示せず）が取り付けられており、プーリ６２および歯車は同期して回転するようになっている。また、プーリ６２の回転軸に取り付けられている上記の歯車には別の歯車６４が噛み合っており、この歯車６４は回転軸６６を中心として回転するようになっている。このような構成により、モータ５４により歯車５５が正逆両方向に回転させられると、回転軸６６が正逆両方向に回転するようになる。
【００４７】
また、図８および図９に示すように、回転軸６６には上記のピニオン（図示せず）、カム７０、および被検知板７５がそれぞれ取り付けられており、回転軸６６が回転するとこれらのピニオン、カム７０、被検知板７５も回転軸６６を中心として回転するようになっている。上述したように、ピニオンが回転軸６６を中心として回転すると、ラック５２が軸５１に近づく方向または軸５１から遠ざかる方向に移動させられ、このことによりパンタグラフ５０が伸縮するようになる。また、カム７０の近傍には、各一時保留部４４を動作させるための動力伝達部材７２が設けられている。図９に示すように、動力伝達部材７２は、略長方形形状の板状のものとなっており、この動力伝達部材７２は鉛直方向に延びる状態で配置されている。また、動力伝達部材７２の両側縁における下端部分の近傍には、直線状に延びる歯部分７２ａがそれぞれ形成されている。また、一対の一時保留部４４の各軸４４ａには歯車４５が取り付けられており、この歯車４５は動力伝達部材７２の歯部分７２ａと噛み合うようになっている。このため、図９に示す状態から動力伝達部材７２が下方に移動すると、歯部分７２ａによって各歯車４５が回転し、このことにより各一時保留部４４は軸４４ａを中心して下方に開くようになる。ここで、動力伝達部材７２に何ら力が加えられていない場合には、図示しない引っ張りバネ等により動力伝達部材７２は上方向に引っ張られるようになっている。また、動力伝達部材７２にはローラが回転自在に取り付けられており、このローラの外周面はカム７０の外周面に接するようになっている。そして、カム７０が回転軸６６を中心として図９における時計回りの方向に回転すると、ローラがカム７０の外周面によって下方に押し下げられ、このことにより動力伝達部材７２は上述した引っ張りバネ等による引っ張り力に抗して下方に移動するようになる。このようにして、動力伝達部材７２が下方に移動すると、上述したように、歯部分７２ａによって各歯車４５が回転し、このことにより各一時保留部４４は軸４４ａを中心して下方に開くようになる。
【００４８】
また、図８に示すように、回転軸６６の近傍には、当該回転軸６６に取り付けられている被検知板７５を検知するための２つのセンサ（具体的には、上端検知センサ７６および下端検知センサ７８）が設けられている。より詳細には、パンタグラフ５０が完全に収縮した状態にあり、押し込み板４６が上端位置（待機位置）に位置しているときに、被検知板７５が上端検知センサ７６により検知されるようになっている。また、パンタグラフ５０が完全に伸びた状態にあり、押し込み板４６が下端位置に位置しているときに、被検知板７５が下端検知センサ７８により検知されるようになっている。このように、上端検知センサ７６および下端検知センサ７８は、それぞれ、押し込み板４６が上端位置（待機位置）および下端位置に位置しているときにこのことを検知するようになっている。
【００４９】
また、図２に示すように、一対の保持部材３６のうち右側の保持部材３６の下方には片寄せレバー３９が設けられており、当該片寄せレバー３９により、一対の保持部材３６により保持される紙幣収納袋３４に収納された紙幣が当該紙幣収納袋３４内で片側に（具体的には、図２における左側に）寄せられるようになっている。より詳細には、片寄せレバー３９はパンタグラフや電動アクチュエータ等からなる片寄せレバー駆動部３９ａ（図１０参照）により図２に示す状態から左側に移動させられるようになっている。
【００５０】
また、本実施の形態の紙幣収納機構３２において、鉛直方向における各ステージ４０の位置を検知するステージ位置検知部７９が設けられている。具体的には、各ステージ４０は、所定の移動範囲において各保持部材３６から離れる方向および各保持部材３６に近づく方向に移動するようになっている。すなわち、各ステージ４０は所定の移動範囲において図２における上下方向に移動するようになっている。また、各ステージ４０には被検知板（図示せず）が取り付けられている。また、ステージ位置検知部７９は、各ステージ４０が所定の移動範囲における下端に位置するときに当該ステージ４０に取り付けられている被検知板を検知する第１センサ７９ａ、および第１センサ７９ａよりも上方に位置する第２センサ７９ｂを有している。ここで、第２センサ７９ｂは、各保持部材３６により保持される紙幣収納袋３４に収納されている紙幣がフル状態またはニアフル状態となったときの各ステージ４０の位置を検知するようになっている。なお、図１１において、各ステージ４０が第１センサ７９ａにより検知されたときの当該ステージ４０の上端面の位置を参照符合Ａで示し、各ステージ４０が第２センサ７９ｂにより検知されたときの当該ステージ４０の上端面の位置を参照符合Ｂで示している。
【００５１】
また、本実施の形態の紙幣処理機１０には、当該紙幣処理機１０の各構成部材の制御を行う制御部８０が設けられている。より詳細には、図１０に示すように、制御部８０には、投入部２０に設けられた紙幣繰出機構２０ａ、投出部２２に設けられた羽根車２２ａを駆動するための羽根車駆動部２２ｂ、搬送部２４、分岐搬送部２５、識別部２６、収納繰出部３０、紙幣収納機構３２（具体的には、パンタグラフ３７、加熱部材３８、片寄せレバー駆動部３９ａ、ステージ駆動部４１、加熱部材４２、検知センサ４７、モータ５４、上端検知センサ７６、下端検知センサ７８、ステージ位置検知部７９および紙幣送り出し部４８）等がそれぞれ接続されている。そして、識別部２６による紙幣の識別結果に係る信号が制御部８０に送られるとともに、制御部８０は紙幣処理機１０の各構成部材に指令信号を送ることによりこれらの構成部材の動作を制御するようになっている。また、検知センサ４７、上端検知センサ７６、下端検知センサ７８、ステージ位置検知部７９による検知情報も制御部８０に送られるようになっている。
【００５２】
また、図１０に示すように、制御部８０には操作表示部８２、記憶部８４、印字部８６および通信インターフェース部８８がそれぞれ接続されている。図１に示すように、操作表示部８２は例えば筐体１２の上面に設けられたタッチパネル等からなり、紙幣処理機１０における紙幣の入金処理等の処理状況や、各紙幣収納袋３４に収納されている紙幣の在高等に関する情報が操作表示部８２に表示されるようになっている。また、操作者は操作表示部８２を操作することにより制御部８０に対して様々な指令を与えることができるようになっている。記憶部８４には、紙幣処理機１０における紙幣の入金処理等の処理履歴や、各紙幣収納袋３４に収納されている紙幣の在高等に関する情報が記憶されるようになっている。また、印字部８６は、紙幣処理機１０における紙幣の入金処理等の処理履歴や、各紙幣収納袋３４に収納されている紙幣の在高等に関する情報をレシート等に印字するようになっている。また、制御部８０は通信インターフェース部８８を介して本実施の形態による紙幣処理機１０とは別に設けられた外部装置（具体的には、例えば上位端末）に対して信号の送受信を行うことができるようになっている。具体的には、制御部８０は通信インターフェース部８８を介して記憶部８４に記憶されている情報を紙幣処理機１０とは別に設けられた外部装置に送信することができるようになっている。例えば、警送会社の警備員等が紙幣収納袋３４ごと紙幣を回収する際に、回収された紙幣に関する情報が通信インターフェース部８８により警送会社のコンピュータ等に送信されるようになっている。
【００５３】
また、図１０に示すように、制御部８０には枚数情報受付手段９０、パラメータ設定手段９２および処理モード設定手段９４がそれぞれ接続されている。これらの枚数情報受付手段９０、パラメータ設定手段９２および処理モード設定手段９４の機能の詳細については後述する。
【００５４】
次に、このような構成からなる紙幣処理機１０の動作について説明する。なお、以下に示すような紙幣処理機１０の動作は、制御部８０が紙幣処理機１０の各構成部材を制御することにより行われるようになっている。
【００５５】
まず、紙幣処理機１０において紙幣の入金処理を行う際の動作について説明する。操作者が投入部２０に紙幣を投入した後、操作表示部８２により入金処理開始の指令を制御部８０に与えると、投入部２０に投入された紙幣は紙幣繰出機構２０ａにより１枚ずつ筐体１２内に繰り出され、搬送部２４により１枚ずつ搬送されるようになる。そして、搬送部２４により搬送される紙幣は識別部２６によりその金種、真偽、表裏、正損、新旧、搬送状態等が識別される。識別部２６により正常な紙幣ではないと識別された紙幣、すなわちリジェクト紙幣は搬送部２４により投出部２２に送られ、当該投出部２２に集積される。このことにより、操作者は投出部２２に集積されたリジェクト紙幣を筐体１２の前面から手動で取り出し、投入部２０に再投入等することができるようになる。一方、識別部２６により正常な紙幣であると識別された紙幣は収納繰出部３０に送られ、当該収納繰出部３０に一時的に収納されるようになる。また、収納繰出部３０に一時的に収納された紙幣の金種毎の枚数や総額が操作表示部８２に表示される。操作者がその表示内容を確認し、入金処理の承認操作を行うと、収納繰出部３０から紙幣が１枚ずつ搬送部２４に繰り出され、 搬送部２４から分岐搬送部２５に分岐させられ、当該分岐搬送部２５から紙幣収納袋３４に送られ、この紙幣収納袋３４に収納されるようになる。
【００５６】
また、識別部２６により識別された紙幣が送られるべき紙幣収納袋３４がフル状態またはニアフル状態となっており、紙幣収納袋３４に紙幣を収納させることができない場合には、収納繰出部３０を、フル状態またはニアフル状態が解消されるまでの紙幣の収納部として用いてもよい。具体的には、識別部２６により識別された紙幣は収納繰出部３０に送られ、当該収納繰出部３０に収納されるようになっている。そして、フル状態またはニアフル状態となっている紙幣収納袋３４が警送会社の警備員等や店舗の店員等によって下部ユニット１６の紙幣収納機構３２から取り出され、空の紙幣収納袋３４が紙幣収納機構３２に装着されると、収納繰出部３０から紙幣が１枚ずつ搬送部２４に繰り出されて当該搬送部２４により紙幣収納袋３４に送られるようになる。
【００５７】
また、本実施の形態では、識別部２６により識別された紙幣が紙幣収納袋３４に収納される際に、識別部２６による識別結果に基づいて、紙幣収納袋３４に収納された紙幣の枚数に係る情報が枚数情報受付手段９０により受け付けられるようになっている。このことにより、制御部８０は、枚数情報受付手段９０により受け付けられた情報に基づいて、紙幣収納袋３４に収納されている紙幣の枚数を把握することができるようになる。
【００５８】
次に、紙幣収納機構３２において、上部ユニット１４の分岐搬送部２５から下部ユニット１６に送られた紙幣を一対の保持部材３６により保持されている紙幣収納袋３４に収納させる際の動作について説明する。
【００５９】
上部ユニット１４の分岐搬送部２５から下部ユニット１６に送られた紙幣は紙幣送り出し部４８により左右一対の一時保留部４４上に送られ、これらの一時保留部４４上に集積される。そして、所定の枚数の紙幣が各一時保留部４４上に集積されると、各一時保留部４４はその基端部分に設けられた軸４４ａを中心としてそれぞれ下方（すなわち、図２における矢印方向）に回転し、各一時保留部４４上に集積されている紙幣は自重によりこれらの一時保留部４４から落下して紙幣収納袋３４に収納されるようになる。具体的には、モータ５４が歯車５５を回転させることにより回転軸６６が回転し、この回転軸６６に取り付けられたカム７０が回転することにより動力伝達部材７２が下方に移動する。そして、動力伝達部材７２が下方に移動すると、この動力伝達部材７２に設けられた歯部分７２ａによって各歯車４５が回転し、このことにより各一時保留部４４は軸４４ａを中心して下方に開くようになる。また、モータ５４が歯車５５を回転させることにより回転軸６６が回転するとピニオンが回転し、このピニオンによってラック５２が軸５１に近づく方向に移動させられる。このことにより、パンタグラフ５０は下方に伸びるようになり、このパンタグラフ５０の下端部に取り付けられている押し込み板４６も下方に移動する。このようにして、各一時保留部４４に一時的に保留されている紙幣が紙幣収納袋３４に収納される際に、各一時保留部４４に残留してしまった紙幣を押し込み板４６によって紙幣収納袋３４に向かって押し込むことができるようになる。
【００６０】
また、各一時保留部４４から紙幣が落下して紙幣収納袋３４に収納されると、各ステージ４０がステージ駆動部４１により下方に移動させられ、次に各一時保留部４４から紙幣収納袋３４に送られる紙幣の収納空間が当該紙幣収納袋３４の内部に形成されるようになる。より詳細には、紙幣収納袋３４に収納されている紙幣が押し込み板４６により各ステージ４０に向かって押圧された状態で、各ステージ４０および押し込み板４６が一体的に図２における下方に移動する。この際に、紙幣収納袋３４の内部に押し込み板４６を進入させて当該紙幣収納袋３４の内部に収納されている紙幣に押し込み板４６を接触させた場合に、押し込み板４６が下端位置に位置していることが下端検知センサ７８により検知されないときに各ステージ４０を下方に移動させる。このことにより、各ステージ４０と押し込み板４６との間で紙幣が挟まれた状態で各ステージ４０がステージ駆動部４１により下方に移動させられ、また、パンタグラフ５０が伸びることにより押し込み板４６も下方に移動させられるようになる。なお、歯車５７の回転軸にトルクリミッタ５９が設けられており、この回転軸とプーリ５８との間に所定のトルクを超えた過度のトルクがかかると回転軸とプーリ５８との接続が切断され、プーリ５８に対して回転軸が空回りするようになるため、押し込み板４６により過度の押圧力が紙幣に与えられることはない。その後、押し込み板４６が下端位置に到達し、押し込み板４６が下端位置に位置していることが下端検知センサ７８により検知されると、各ステージ４０が停止させられる。このように、各ステージ４０が下降する際に、押し込み板４６が下端位置に到達するまで当該押し込み板４６によって紙幣収納袋３４の内部で各ステージ４０に向かって紙幣を押し込むことにより、紙幣収納袋３４の内部に積層状態で集積されている紙幣が集積方向に圧縮されるため、紙幣収納袋３４の内部に積層状態で収納されている紙幣が崩れてしまうことを抑制することができる。そして、各ステージ４０が停止させられた後、押し込み板４６は紙幣収納袋３４から上方に退避する。この際に、紙幣収納袋３４に収納されている紙幣が例えばゴワゴワな紙幣であった場合には、押し込み板４６が紙幣収納袋３４から上方に退避すると、紙幣収納袋３４に収納されている複数の紙幣は押し込み板４６により圧縮された状態から解放されるため積層方向に膨張することがある。一方、紙幣収納袋３４に収納されている紙幣が例えば官封券であった場合には、押し込み板４６が紙幣収納袋３４から上方に退避しても、紙幣収納袋３４に収納されている複数の紙幣は積層方向に大きく膨張することはない。
【００６１】
また、各ステージ４０が下方に移動することによって当該ステージ４０が第２センサ７９ｂにより検知されると（すなわち、図１１において各ステージ４０の上面が参照符合Ｂで示す位置に到達すると）、紙幣収納袋３４に収納されている紙幣がフル状態またはニアフル状態になったとみなされる。この場合には、押し込み板４６が紙幣収納袋３４から上方に退避した後、当該紙幣収納袋３４の開口が各加熱部材３８によってヒートシールされる。より詳細には、押し込み板４６が下端位置に位置していることが下端検知センサ７８により検知されると、各ステージ４０は一旦停止させられるが、紙幣収納袋３４に紙幣を収納させる際に各ステージ４０が下方に移動する途中で当該ステージ４０が第２センサ７９ｂにより検知されていた場合には、押し込み板４６が紙幣収納袋３４から上方に退避した後、ステージ駆動部４１によって各ステージ４０が所定の移動範囲における下端まで移動させられる。すなわち、各ステージ４０が第１センサ７９ａにより検知されるまで当該ステージ４０が下方に移動させられる。このことにより、紙幣収納袋３４の開口の近傍における、各加熱部材３８によってヒートシールする領域を確保することができるようになる。言い換えると、紙幣収納袋３４に収納されている紙幣がフル状態またはニアフル状態になったとみなされた後、各ステージ４０を下降させなければ、各加熱部材３８によって紙幣収納袋３４の開口がヒートシールされる際に紙幣収納袋３４内の紙幣が各加熱部材３８に接触してしまいシール不良が発生するおそれがある。このため、各ステージ４０が第２センサ７９ｂにより検知された後、当該ステージ４０を更に下降させるようになっている。
【００６２】
また、本実施の形態では、各一時保留部４４に一時的に保留されている紙幣が各保持部材３６により保持されている紙幣収納袋３４に収納される際に、制御部８０は、紙幣収納袋３４に収納されている紙幣が押し込み板４６によって各ステージ４０に向かって押圧されるときの押し込み板４６と各ステージ４０との間の距離が所定距離ｈよりも大きくなったときに、枚数情報受付手段９０により受け付けられた紙幣の枚数が所定枚数ｍよりも少ないことを条件として、紙幣収納袋３４への紙幣の収納動作を停止させるようになっている。なお、これらの所定距離ｈおよび所定枚数ｍは予め設定された値である。具体的に説明すると、紙幣収納袋３４に収納される紙幣がゴワゴワな紙幣である場合には、各ステージ４０が第２センサ７９ｂにより検知される前に紙幣収納袋３４に収納されている紙幣がフル状態またはニアフル状態になったとみなし、各ステージ４０を第１センサ７９ａにより検知される位置（すなわち、所定の移動範囲における下端の位置）まで移動させるようになっている。このような動作について図１１（ａ）〜（ｅ）を用いて説明する。なお、図１１（ａ）〜（ｃ）は、紙幣収納袋３４にゴワゴワな紙幣（参照符号Ｐａで表示）が収納されるときの動作を順に示す側面図であり、図１１（ｄ）（ｅ）は、紙幣収納袋３４に官封券としての紙幣（参照符号Ｐｂで表示）が収納されるときの動作を順に示す側面図である。
【００６３】
まず、紙幣収納袋３４にゴワゴワな紙幣が収納されるときの動作について図１１（ａ）〜（ｃ）を用いて説明する。紙幣収納袋３４に収納される紙幣が官封券ではなくゴワゴワな紙幣である場合には、紙幣収納袋３４内において押し込み板４６によって紙幣を各ステージ４０に向かって押し込んだ後、この押し込み板４６が紙幣収納袋３４から上方に退避すると、紙幣収納袋３４に収納されている複数の紙幣が積層方向に膨張してしまうおそれがある。この場合には、各ステージ４０が参照符合Ｂで示す位置に到達することにより紙幣収納袋３４に収納されている紙幣がニアフル状態またはフル状態になったとみなされた後、各ステージ４０を参照符合Ｂで示す位置から参照符合Ａに示す位置に移動させるだけでは、紙幣収納袋３４の開口の近傍における、各加熱部材３８によってヒートシールする領域を十分に確保することができないおそれがある。すなわち、各ステージ４０を参照符合Ｂで示す位置から参照符合Ａに示す位置に移動させるだけでは、押し込み板４６が紙幣収納袋３４から上方に退避したときに紙幣収納袋３４に収納されている複数の紙幣が積層方向に膨張することによって、各加熱部材３８によって紙幣収納袋３４の開口がヒートシールされる際に紙幣収納袋３４内の紙幣が各加熱部材３８に接触してしまいシール不良が発生するおそれがある。このため、紙幣収納袋３４の開口の近傍における、各加熱部材３８によってヒートシールする領域を十分に確保するために、各ステージ４０の移動量をより大きくする必要がある。
【００６４】
このため、本実施の形態では、各一時保留部４４に一時的に保留されている紙幣が各保持部材３６により保持されている紙幣収納袋３４に収納される際に、紙幣収納袋３４に収納されている紙幣が押し込み板４６によって各ステージ４０に向かって押圧されるときの押し込み板４６と各ステージ４０との間の距離が所定距離ｈよりも大きくなったときに、枚数情報受付手段９０により受け付けられた紙幣の枚数が所定枚数ｍよりも少ない場合には、紙幣収納袋３４に収納されている紙幣がニアフル状態またはフル状態になったとみなすようになっている。より詳細に説明すると、図１１（ａ）に示すように、紙幣収納袋３４に紙幣が収納されるにつれて各ステージ４０が少しずつ下降することにより当該ステージ４０の上面が図１１において参照符合Ｃで示す位置（参照符合Ｂで示す位置よりも上方の位置）となったときまたは参照符合Ｃで示す位置よりも下方の位置となったときに、枚数情報受付手段９０により受け付けられた紙幣の枚数が所定枚数ｍ以上であるか否かの判断が制御部８０において行われる。より詳細には、上述したように、紙幣収納袋３４に紙幣が収納される際に、各ステージ４０が下降するとともに、押し込み板４６が下端位置に到達するまで当該押し込み板４６によって紙幣収納袋３４の内部で各ステージ４０に向かって紙幣が押し込まれ、押し込み板４６が下端位置に到達すると、各ステージ４０が停止させられる。そして、停止させられたときの各ステージ４０の上面が図１１において参照符合Ｃで示す位置となったときまたは参照符合Ｃで示す位置よりも下方の位置となったときに、枚数情報受付手段９０により受け付けられた紙幣の枚数が所定枚数ｍ以上であるか否かの判断が制御部８０において行われる。なお、図１１（ａ）は、押し込み板４６が下端位置に位置しているときの状態を示す図である。ここで、図１１（ａ）に示すように押し込み板４６が下端位置に位置しているときの押し込み板４６の下端面と参照符合Ｃで示す位置との間の距離が所定距離ｈとして設定されるようになっている。すなわち、参照符合Ｃで示す位置は、押し込み板４６が下端位置に位置しているときの押し込み板４６の下端面から所定距離ｈだけ下方の位置となる。
【００６５】
ステージ４０の上面が図１１において参照符合Ｃで示す位置となったときまたは参照符合Ｃで示す位置よりも下方の位置となったときに、枚数情報受付手段９０により受け付けられた紙幣の枚数が所定枚数ｍ以上である場合には、紙幣収納袋３４に収納されている紙幣が官封券であるとみなされ、紙幣収納袋３４への紙幣の収納動作が停止させられることはない。このような動作については後述する。一方、図１１（ａ）に示すように、ステージ４０の上面が図１１において参照符合Ｃで示す位置となったときまたは参照符合Ｃで示す位置よりも下方の位置となったときに、枚数情報受付手段９０により受け付けられた紙幣の枚数が所定枚数ｍよりも少ない場合には、紙幣収納袋３４に収納されている紙幣がゴワゴワな紙幣であるとみなされ、搬送部２４から分岐搬送部２５や紙幣送り出し部４８を介して一時保留部４４に紙幣を送る動作が停止させられる。この場合には、図１１（ｂ）に示すように、押し込み板４６が紙幣収納袋３４から上方に退避し、当該押し込み板４６は上端位置（退避位置）に位置するようになる。このことにより、紙幣収納袋３４に収納されている複数の紙幣が積層方向に膨張することがある。ここで、図１１（ｂ）において、積層方向における複数の紙幣の膨張量を参照符合ａで示す。このように紙幣収納袋３４に収納されている複数の紙幣が積層方向に膨張することによって、これらの複数の紙幣の高さはｈ＋ａの大きさとなる。また、ステージ駆動部４１によって各ステージ４０が所定の移動範囲における下端位置（すなわち、第１センサ７９ａにより検知される位置）まで下方に移動させられる。なお、各ステージ４０は図１１において参照符合Ｃで示す位置から参照符合Ａで示す位置まで下降するため、各ステージ４０が図１１において参照符合Ｂで示す位置から参照符合Ａで示す位置まで下降する場合と比較して、紙幣収納袋３４の開口の近傍における、各加熱部材３８によってヒートシールする領域をより広くすることができる。すなわち、紙幣収納袋３４に収納されている紙幣がゴワゴワな紙幣であり、押し込み板４６が紙幣収納袋３４から上方に退避したときに紙幣収納袋３４に収納されている複数の紙幣が積層方向に膨張しても、紙幣収納袋３４への紙幣の収納動作が停止させられてから各ステージ４０を下降させる量を増やすことにより、紙幣収納袋３４の開口の近傍における、各加熱部材３８によってヒートシールする領域を十分に確保することができるようになる。
【００６６】
その後、図１１（ｃ）に示すように、一方の保持部材３６を他方の保持部材３６に接近する方向に移動させることによって紙幣収納袋３４の開口近傍の箇所を各保持部材３６により挟む。具体的には、図１１における右側の保持部材３６を左側の保持部材３６に接近する方向に移動させる。その後、各加熱部材３８により紙幣収納袋３４の開口をヒートシールする。また、一方のステージ４０を他方のステージ４０に接近する方向に移動させることによって紙幣収納袋３４の底部近傍の箇所を各ステージ４０により挟む。そして、紙幣収納袋３４に紙幣を収納したときに底部となる箇所を各加熱部材４２によりヒートシールする。その後、各保持部材３６が離間するよう各保持部材３６を移動させる。具体的には、図１１における右側の保持部材３６を左側の保持部材３６から遠ざかる方向に移動させる。また、各ステージ４０が離間するよう各ステージ４０を移動させる。その後、紙幣収納袋３４を各保持部材３６から取り外すことにより、紙幣収納機構３２の各保持部材３６の上方側から紙幣収納袋３４を上方向に取り出すことができるようになる。
【００６７】
一方、ステージ４０の上面が図１１において参照符合Ｃで示す位置となったときまたは参照符合Ｃで示す位置よりも下方の位置となったときに、枚数情報受付手段９０により受け付けられた紙幣の枚数が所定枚数ｍ以上である場合には、紙幣収納袋３４に収納されている紙幣が官封券であるとみなされ、搬送部２４から分岐搬送部２５や紙幣送り出し部４８を介して一時保留部４４に紙幣を送る動作が停止させられることはない。この場合には、各ステージ４０が第２センサ７９ｂにより検知されるまで、紙幣収納袋３４への紙幣の収納動作が引き続き行われるようになる。そして、図１１（ｄ）に示すように各ステージ４０が第２センサ７９ｂにより検知されると、紙幣収納袋３４に収納されている紙幣がニアフル状態またはフル状態になったとみなされ、搬送部２４から分岐搬送部２５や紙幣送り出し部４８を介して一時保留部４４に紙幣を送る動作が停止させられる。ここで、一時保留部４４に紙幣を送る動作が停止させられたときの積層方向における複数の紙幣の高さを参照符合Ｈで示す。その後、図１１（ｅ）に示すように、押し込み板４６が紙幣収納袋３４から上方に退避し、当該押し込み板４６は上端位置（退避位置）に位置するようになる。なお、紙幣収納袋３４に収納されている紙幣が官封券である場合には、押し込み板４６が紙幣収納袋３４から上方に退避しても、紙幣収納袋３４に収納されている複数の紙幣が積層方向に大きく膨張することはない。すなわち、紙幣収納袋３４に収納されている複数の紙幣の高さは参照符合Ｈで示す大きさのままとなる。その後、ステージ駆動部４１によって各ステージ４０が所定の移動範囲における下端位置（すなわち、第１センサ７９ａにより検知される位置）まで下方に移動させられる。この場合には、紙幣収納袋３４の開口の近傍における、各加熱部材３８によってヒートシールする領域を確保するにあたり、各ステージ４０が図１１において参照符合Ｂで示す位置から参照符合Ａで示す位置まで下降するため、図１１（ａ）〜（ｃ）に示す態様と比較して各ステージ４０の移動量は少なくなるが、紙幣収納袋３４に収納されている複数の紙幣が官封券の場合には積層方向に大きく膨張することはないと考えられるため、シール不良が発生することが抑制される。また、図１１（ｄ）（ｅ）に示す態様では、各ステージ４０が参照符合Ｃで示す位置から参照符合Ｂで示す位置に下降するまで紙幣収納袋３４に紙幣を収納させることができるため、紙幣収納袋３４に収納される紙幣の枚数を増やすことができるようになる。
【００６８】
ここで、上記の動作における所定距離ｈと所定枚数ｍとの関係について説明する。紙幣収納袋３４に収納される紙幣がゴワゴワな紙幣である場合には、押し込み板４６により各ステージ４０に向かって押し込まれたときの紙幣１枚あたりの高さが大きくなる。すなわち、押し込み板４６と各ステージ４０との間で紙幣が挟まれながら各ステージ４０が下降するときの紙幣収納袋３４に収納されている紙幣の高さを、紙幣収納袋３４に収納されている紙幣の枚数（すなわち、枚数情報受付手段９０により受け付けられた紙幣の枚数）で割った値が大きくなる。このため、ステージ４０の上面が図１１において参照符合Ｃで示す位置または参照符合Ｃで示す位置よりも下方の位置となり、押し込み板４６の下端面と各ステージ４０の上面との間の距離が所定距離ｈよりも大きくなったときに、紙幣収納袋３４に収納されている紙幣の枚数は所定枚数ｍよりも少なくなる。一方、紙幣収納袋３４に収納される紙幣が官封券である場合には、押し込み板４６により各ステージ４０に向かって押し込まれたときの紙幣１枚あたりの高さが小さくなる。すなわち、押し込み板４６と各ステージ４０との間で紙幣が挟まれながら各ステージ４０が下降するときの紙幣収納袋３４に収納されている紙幣の高さを、紙幣収納袋３４に収納されている紙幣の枚数（すなわち、枚数情報受付手段９０により受け付けられた紙幣の枚数）で割った値が小さくなる。このため、ステージ４０の上面が図１１において参照符合Ｃで示す位置または参照符合Ｃで示す位置よりも下方の位置となり、押し込み板４６の下端面と各ステージ４０の上面との間の距離が所定距離ｈよりも大きくなったときに、紙幣収納袋３４に収納されている紙幣の枚数は所定枚数ｍよりも多くなる。このように、紙幣収納袋３４に収納される紙幣がゴワゴワな紙幣である場合と官封券である場合とで、押し込み板４６と各ステージ４０との間で紙幣が挟まれながら各ステージ４０が下降するときの押し込み板４６の下端面と各ステージ４０の上面との間の距離を、紙幣収納袋３４に収納されている紙幣の枚数で割った値が異なるようになる。
【００６９】
また、本実施の形態では、紙幣処理機１０が設置される国や地域によって、所定距離ｈや所定枚数ｍの大きさを操作者が変更することができるようになっている。具体的には、操作者は操作表示部８２により所定距離ｈの大きさを設定したり変更したりすることができるようになっている。そして、パラメータ設定手段９２は、操作表示部８２により入力された情報に基づいて所定距離ｈの大きさを設定する。また、操作者は操作表示部８２により所定枚数ｍの大きさを設定したり変更したりすることができるようになっている。そして、パラメータ設定手段９２は、操作表示部８２により入力された情報に基づいて所定枚数ｍの大きさを設定する。このように、パラメータ設定手段９２は、所定距離ｈおよび所定枚数ｍの設定を行うことができるようになっている。なお、変形例において、パラメータ設定手段９２が、所定距離ｈおよび所定枚数ｍのうちいずれか一方のみの設定を行うような紙幣処理機が用いられてもよい。この場合には、所定距離ｈおよび所定枚数ｍのうち一方のパラメータを変更することができるが他方のパラメータを変更することはできないようになる。
【００７０】
また、本実施の形態では、紙幣収納袋３４に紙幣を収納させる動作における処理モードとして、第１処理モードおよび第２処理モードのうちいずれか一方の処理モードを選択することができるようになっていてもよい。このような処理モードの選択は、操作者が操作表示部８２により行うことができるようになっている。また、操作表示部８２によって操作者により入力された情報に基づいて、処理モード設定手段９４は紙幣収納袋３４への紙幣の収納動作における処理モードを第１処理モードおよび第２処理モードのうちいずれの処理モードで行うかを設定する。ここで、処理モード設定手段９４により第１処理モードが選択された場合には、上述したように、各保持部材３６により保持されている紙幣収納袋３４に紙幣が収納される際に、制御部８０は、紙幣収納袋３４に収納されている紙幣が押し込み板４６によって各ステージ４０に向かって押圧されるときの押し込み板４６と各ステージ４０との間の距離が所定距離ｈよりも大きくなったときに、枚数情報受付手段９０により受け付けられた紙幣の枚数が所定枚数ｍよりも少ないことを条件として、紙幣収納袋３４への紙幣の収納動作を停止させる。一方、処理モード設定手段９４により第２処理モードが選択された場合には、各保持部材３６により保持されている紙幣収納袋３４に紙幣が収納される際に、紙幣収納袋３４に収納されている紙幣が押し込み板４６によって各ステージ４０に向かって押圧されるときの押し込み板４６と各ステージ４０との間の距離が所定距離ｈよりも大きくなったときに、枚数情報受付手段９０により受け付けられた紙幣の枚数が所定枚数ｍよりも少ない場合でも、紙幣収納袋３４への紙幣の収納動作を停止させない。すなわち、ステージ４０の上面が図１１において参照符合Ｃで示す位置または参照符合Ｃで示す位置よりも下方の位置となったときに、枚数情報受付手段９０により受け付けられた紙幣の枚数が所定枚数ｍより少ない場合でも、搬送部２４から分岐搬送部２５や紙幣送り出し部４８を介して一時保留部４４に紙幣を送る動作を停止させない。この場合には、各ステージ４０が第２センサ７９ｂにより検知されるまで、紙幣収納袋３４への紙幣の収納動作が引き続き行われるようになる。そして、各ステージ４０が第２センサ７９ｂにより検知されると、紙幣収納袋３４に収納されている紙幣がニアフル状態またはフル状態になったとみなされ、搬送部２４から分岐搬送部２５や紙幣送り出し部４８を介して一時保留部４４に紙幣を送る動作が停止させられる。その後、ステージ駆動部４１によって各ステージ４０が所定の移動範囲における下端位置（すなわち、第１センサ７９ａにより検知される位置）まで下方に移動させられ、紙幣収納袋３４の開口が各加熱部材３８によってヒートシールされる。紙幣収納袋３４に収納される紙幣が官封券であることが予め分かっている場合には、紙幣の処理モードを処理モード設定手段９４により第２処理モードに設定することによって、ステージ４０の上面が図１１において参照符合Ｃで示す位置または参照符合Ｃで示す位置よりも下方の位置となったときに紙幣収納袋３４への紙幣の収納動作が強制的に停止させられることを防止することができ、よって紙幣収納袋３４に収納される紙幣の量を増やすことができるようになる。
【００７１】
以上のような構成からなる本実施の形態の紙幣処理機１０によれば、制御部８０は、各保持部材３６（支持部）により保持（支持）される紙幣収納袋３４に収納されている紙幣を押し込み板４６（押圧部）が各ステージ４０（受け部）に向かって押圧するときの押し込み板４６と各ステージ４０との間の距離が所定距離ｈよりも大きくなったときに、枚数情報受付手段９０により受け付けられた紙幣の枚数が所定枚数ｍよりも少ないことを条件として紙幣収納袋３４への紙幣の収納動作を停止させるようになっている。このことにより、紙幣収納袋３４にゴワゴワな紙幣が収納された場合でも、紙幣収納袋３４の開口の近傍における、各加熱部材３８によってヒートシールする領域を十分に確保することができるようになり、よって、紙幣収納袋３４の開口をシールする際に紙幣収納袋３４内の紙幣が加熱部材３８に接触することによるシール不良の発生を防止することができる。
【００７２】
より詳細に説明すると、一般的な紙幣処理機において、収納袋に収納される紙幣が官封券ではなくゴワゴワな紙幣であった場合に、押し込み板によって紙幣を押し込んだ後、この押し込み板が紙幣収納袋の外部に退避すると、紙幣収納袋に収納されている複数の紙幣が積層方向に膨張してしまうおそれがあった。ここで、従来の紙幣処理機では、ステージが所定の位置に到達すると紙幣収納袋に収納されている紙幣がニアフル状態またはフル状態になったとみなされ、紙幣収納袋の開口が加熱部材によってヒートシールされるようになっていた。しかしながら、紙幣収納袋に収納される紙幣が官封券ではなくゴワゴワな紙幣であった場合に、押し込み板が紙幣収納袋の外部に退避することによって紙幣収納袋に収納されている複数の紙幣が積層方向に膨張してしまうと、紙幣収納袋の開口を加熱部材によってヒートシールする際に、紙幣収納袋内の紙幣が加熱部材に接触することによりシール不良が発生するおそれがあった。このようなシール不良が発生すると、紙幣収納袋の開口においてシールされない箇所が部分的に生じてしまうため、このシールされない箇所から紙幣収納袋内の紙幣が抜き取られてしまうという問題があった。これに対し、本実施の形態では、各ステージ４０が所定の位置に到達すると紙幣収納袋３４に収納されている紙幣がニアフル状態またはフル状態になったと一律にみなすのではなく、紙幣収納袋３４に収納されている紙幣を押し込み板４６が各ステージ４０に向かって押圧するときの押し込み板４６と各ステージ４０との間の距離が所定距離ｈよりも大きくなったときに、枚数情報受付手段９０により受け付けられた紙幣の枚数が所定枚数ｍよりも少ない場合にも紙幣収納袋３４に収納されている紙幣がニアフル状態またはフル状態になったとみなすようにしている。このことにより、紙幣収納袋３４の開口の近傍における、各加熱部材３８によってヒートシールする領域を十分に確保することができるようになり、よって、紙幣収納袋３４の開口をシールする際に紙幣収納袋３４内の紙幣が加熱部材３８に接触することによるシール不良の発生を防止することができる。
【００７３】
また、本実施の形態の紙幣処理機１０においては、上述したように、紙幣収納袋３４に収納されるべき紙幣を一時的に保留する一対の一時保留部４４が設けられており、制御部８０は、各保持部材３６により保持される紙幣収納袋３４に収納されている紙幣を押し込み板４６が各ステージ４０に向かって押圧するときの押し込み板４６と各ステージ４０との間の距離が所定距離ｈよりも大きくなったときに、枚数情報受付手段９０により受け付けられた紙幣の枚数が所定枚数ｍよりも少ない場合には、各一時保留部４４に紙幣を送らないよう搬送部２４、分岐搬送部２５、紙幣送り出し部４８等の制御を行う（これらの搬送部２４、分岐搬送部２５、紙幣送り出し部４８は、各一時保留部４４に紙幣を送る紙幣送り手段として機能する）。なお、本発明に係る紙幣処理機は、紙幣収納袋に収納されるべき紙幣を一時的に保留する一時保留部が設けられるような態様のものに限定されることはない。変形例に係る紙幣処理機において、紙幣収納袋に収納されるべき紙幣を一時的に保留する一時保留部が設けられておらず、紙幣送り出し部から紙幣収納袋に紙幣が直接送られるようになっていてもよい。このような変形例に係る紙幣処理機では、各保持部材により保持される紙幣収納袋に収納されている紙幣を押し込み板が各ステージに向かって押圧するときの押し込み板と各ステージとの間の距離が所定距離よりも大きくなったときに、枚数情報受付手段により受け付けられた紙幣の枚数が所定枚数よりも少ない場合には、紙幣送り出し部から紙幣収納袋に紙幣を送らないよう搬送部や紙幣送り出し部等が制御部により制御されるようになる。
【００７４】
また、本実施の形態の紙幣処理機１０においては、上述したように、制御部８０は、各保持部材３６により保持される紙幣収納袋３４に収納されている紙幣を押し込み板４６が各ステージ４０に向かって押圧するときの押し込み板４６と各ステージ４０との間の距離が所定距離ｈよりも大きくなったときに、枚数情報受付手段９０により受け付けられた紙幣の枚数が所定枚数ｍよりも少ないことを条件として各ステージ４０を各保持部材３６から離れる方向に移動させるようステージ駆動部４１を制御するようになっている。具体的には、各ステージ４０を図１１において参照符合Ａで示す位置まで移動させるようになっている（図１１（ｂ）参照）。このことにより、紙幣収納袋３４の開口の近傍における、各加熱部材３８によってヒートシールする領域を十分に確保することができるようになる。
【００７５】
また、各ステージ４０は所定の移動範囲において各保持部材３６から離れる方向および各保持部材３６に近づく方向（すなわち、図２における上下方向）に移動するようになっている。また、各保持部材３６により保持される紙幣収納袋３４に紙幣が収納される際に、押し込み板４６が各ステージ４０に向かって紙幣を押圧するときの押し込み板４６と各ステージ４０との間の距離が所定距離ｈよりも大きくなったときに、枚数情報受付手段９０により受け付けられた紙幣の枚数が所定枚数ｍよりも多い場合には、各ステージ４０が第２センサ７９ｂにより検知される位置（第１所定位置）に到達したときに当該ステージ４０を所定の移動範囲における各保持部材３６から最も離れた位置まで移動させるようになっている。
【００７６】
また、本実施の形態の紙幣処理機１０においては、上述したように、制御部８０は、各保持部材３６により保持される紙幣収納袋３４に収納されている紙幣を押し込み板４６が各ステージ４０に向かって押圧するときに、押し込み板４６が下端位置（第２所定位置）に到達するまで押し込み板４６と各ステージ４０との間で紙幣を挟んだ状態で各ステージ４０を各保持部材３６から離れる方向に移動させるようステージ駆動部４１を制御するようになっている。また、押し込み板４６が下端位置に位置しているか否かを検知する検知部として下端検知センサ７８が設けられている。そして、制御部８０は、紙幣収納袋３４の内部に押し込み板４６を進入させて当該紙幣収納袋３４の内部に収納されている紙幣に押し込み板４６を接触させた場合に、押し込み板４６が下端位置に位置していることが下端検知センサ７８により検知されないときに各ステージ４０を各保持部材３６から離れる方向に移動させるようステージ駆動部４１の制御を行うようになっている。
【００７７】
また、本実施の形態の紙幣処理機１０においては、上述したように、紙幣収納袋３４に収納されるべき紙幣の識別を行う識別部２６が設けられており、識別部２６による識別結果に基づいて紙幣収納袋３４に送られた紙幣の枚数が算出されるようになっており、この算出された紙幣の枚数に係る情報が枚数情報受付手段９０により受け付けられるようになっている。なお、本発明による紙幣処理機はこのような態様に限定されることはない。変形例に係る紙幣処理機において、枚数情報受付手段は、識別部による識別結果以外の情報（例えば、操作者によって操作表示部により入力された紙幣の枚数）に基づいて、紙幣収納袋に収納される紙幣の枚数に係る情報を受け付けるようになっていてもよい。
【００７８】
また、本実施の形態の紙幣処理機１０においては、上述したように、所定距離ｈおよび所定枚数ｍのうち少なくともいずれかの設定を行うパラメータ設定手段９２が設けられている。このようなパラメータ設定手段９２により、所定距離ｈおよび所定枚数ｍのうち少なくともいずれかの値を変更することができるようになる。また、各保持部材３６により保持される紙幣収納袋３４への紙幣の収納動作における処理モードを第１処理モードおよび第２処理モードのうちいずれの処理モードで行うかを設定する処理モード設定手段９４が設けられている。
【００７９】
なお、本実施の形態による紙幣処理機１０や紙幣処理方法は、上述したような態様に限定されることはなく、様々な変更を加えることができる。
【００８０】
例えば、変形例に係る紙幣処理機では、上部および下部にそれぞれ開口が設けられた筒形状の収納袋が支持部により支持されるとともに、当該支持部に支持される収納袋に紙幣が収納されるようになっていてもよい。この場合でも、本発明の原理を上述した変形例に係る紙幣処理機に適用することができるようになる。
【００８１】
また、本実施の形態における他の態様では、収納袋の開口を加熱部材によりヒートシールする代わりに、収納袋の開口を接着剤により接着させて封止するようにしてもよい。具体的には、紙幣が収納される紙幣収納袋として、その内面における開口に接着剤が設けられたものが用いられてもよい。この場合には、紙幣収納袋の開口を接着剤により接着することによって紙幣収納袋の開口を封止することができるようになる。この場合でも、本発明の原理を上述した変形例に係る紙幣処理機に適用することができるようになる。
【００８２】
また、本実施の形態における更に他の態様では、紙幣収納袋の開口をヒートシールする加熱部材が、当該紙幣収納袋の開口近傍の箇所を保持する各保持部材とは別の部材とされていてもよい。また、紙幣収納袋に紙幣を収納したときに底部となる箇所をヒートシールする加熱部材が各ステージとは別の部材とされていてもよい。また、紙幣収納袋に紙幣を収納したときに底部となる箇所を封止しなくてもよい。この場合には、各ステージ等に加熱部材が設けられないようになる。
【００８３】
また、本発明に係る紙葉類処理装置や紙葉類処理方法として、収納袋の内部に紙幣以外の紙葉類（例えば、小切手や商品券等）を収納させるものが用いられてもよい。
【符号の説明】
【００８４】
１０    紙幣処理機
１２    筐体
１４    上部ユニット
１６    下部ユニット
２０    投入部
２０ａ  紙幣繰出機構
２２    投出部
２２ａ  羽根車
２２ｂ  羽根車駆動部
２４    搬送部
２５    分岐搬送部
２６    識別部
３０    収納繰出部
３０ａ  ドラム
３１    テープ
３２    紙幣収納機構
３４    紙幣収納袋
３４ａ  突出部
３４ｂ  開口
３４ｃ  補強部材
３６    保持部材
３６ａ  ピン
３６ｂ  面
３６ｋ  枠体
３６ｐ  ガイドピン
３６ｑ  長穴
３７    パンタグラフ
３８    加熱部材
３９    片寄せレバー
３９ａ  片寄せレバー駆動部
４０    ステージ
４０ａ  ヒンジ部
４１    ステージ駆動部
４２    加熱部材
４４    一時保留部
４４ａ  軸
４５    歯車
４６    押し込み板
４６ａ  押し込み部分
４６ｂ  ベース部分
４６ｃ  軸
４６ｄ  被検知部材
４６ｅ  取付部材
４６ｆ  ガイド穴
４６ｇ  ピン部材
４７    検知センサ
４８    紙幣送り出し部
５０    パンタグラフ
５１    軸
５２    ラック
５４    モータ
５５、５６、５７  歯車
５８    プーリ
５９    トルクリミッタ
６０    循環ベルト
６２    プーリ
６４    歯車
６６    回転軸
７０    カム
７２    動力伝達部材
７２ａ  歯部分
７５    被検知板
７６    上端検知センサ
７８    下端検知センサ
７９    ステージ位置検知部
７９ａ  第１センサ
７９ｂ  第２センサ
８０    制御部
８２    操作表示部
８４    記憶部
８６    印字部
８８    通信インターフェース部
９０    枚数情報受付手段
９２    パラメータ設定手段
９４    処理モード設定手段
【図１】
2019061426.tif 000003
【図２】
2019061426.tif 000004
【図３】
2019061426.tif 000005
【図４】
2019061426.tif 000006
【図５】
2019061426.tif 000007
【図６】
2019061426.tif 000008
【図７】
2019061426.tif 000009
【図８】
2019061426.tif 000010
【図９】
2019061426.tif 000011
【図１０】
2019061426.tif 000012
【図１１】
2019061426.tif 000013